(57)【要約】【課題】  本発明は、マイナスイオン発生機能を容易に電子機器に組み込むことが可能にすることを目的とする。【解決手段】  マイナスイオン発生ユニット１１は底壁１２の周りに周壁１３を有し、前部には収容部７の開口と略同じ形状の前壁１６を有している。前壁１６から後壁１３ａ方向に隔壁１４が形成され、周壁１３との間には吸気路１７および排気路１８が形成される。前壁１６には吸気口１９及び排気口２０が設けられる。排気路１８にはファンユニット２１が設けられ、ファンユニット２１と排気口２０との間にはマイナスイオン発生装置２４が設けられる。マイナスイオン発生装置２４により発生されたマイナスイオンはファンユニット２１により排気口２０より外部へ効率よく拡散される。【選択図】  図２
2005092587.tif 000002
【特許請求の範囲】
【請求項１】
収容部を有する本体と、
前記収容部に着脱可能なユニットとを具備し、
前記ユニットは、
前壁と、前記収容部から外部へ露出されるとともに、吸気口および排気口とが備えられた前壁とを有するハウジングと、
前記ハウジング内部に設けられ、前記吸気口より外部の空気を吸気し、前記排気口より前記吸込んだ空気を吐き出すファンユニットと、
前記ハウジング内部に設けられ、前記ファンユニットの近傍に設けられるとともに、マイナスイオンを発生するマイナスイオン発生装置と、
を具備することを特徴とする電子機器。
【請求項２】
前記周壁と前期前壁との間には、前記周壁との間に、前記吸気口から吸気された空気を通す吸気路と、この吸気路を通った前記空気を前記排気口へ導く排気路とを形成する隔壁が形成されることを特徴とする請求項１記載の電子機器。
【請求項３】
前記隔壁は前記前壁から前記ハウジングの後方へ延出されるとともに、前記ハウジングの後部に位置する周壁との間で、前記吸気路と前記排気路とを連結する連結路を形成することを特徴とする請求項２記載の電子機器。
【請求項４】
前記ファンユニットは前記排気路に配置されることを特徴とする請求項２記載の電子機器。
【請求項５】
前記マイナスイオン発生装置は前記ファンユニットと前記排気口との間に配置されることを特徴とする請求項４記載の電子機器。
【請求項６】
前記排気口及び前記吸気口のそれぞれには可動可能な複数のフィンが設けられることを特徴とする請求項１記載の電子機器。
【発明の詳細な説明】
【技術分野】
【０００１】
本発明は、パーソナルコンピュータ等の電子機器に関する。
【背景技術】
【０００２】
近年、環境改善や人体に好影響を与えるとして、マイナスイオン発生装置やマイナスイオン発生機能を有する空調機器等が多く製品化されている。中にはマイナスイオン発生装置が内蔵されたデスクトップが既に商品化されている。デスクトップは筐体内部にデッドスペースが多くあり、従来のデスクトップを構成する部品に更にマイナスイオン発生装置を内蔵することは比較的容易である。このようなノート型パソコン等の電子機器に内蔵しようとしても、近年のノート型パソコン等の電子機器は小型化が進んでおり筐体へのマイナスイオン発生装置の内蔵は困難である。たとえ、マイナスイオン発生装置が内蔵されたとしても、マイナスイオン発生装置の変わりに他の装置を削除しなければ内蔵できない可能性もある。
【０００３】
高機能のノート型コンピュータにはいわゆるセレクタブルベイといわれる収容部が設けられているものもある。これは複数の異なる機能を持ったユニットのうちの１ユニットをユーザが好みに応じて選択してセレクタブルベイに収容して使用するものである。（特許文献１参照）。
【特許文献１】特開２０００−９９２１０号公報
【発明の開示】
【発明が解決しようとする課題】
【０００４】
しかし、従来のセレクタブルベイに収容可能なユニットにはマイナスイオン発生装置が備えられていない。
【０００５】
そこで、本発明は、マイナスイオン発生機能を容易に電子機器に組み込むことが可能にすることを目的とする。
【課題を解決するための手段】
【０００６】
上記目的を達成するために、請求項１に係る本発明の電子機器は、収容部を有する本体と、前記収容部に着脱可能なユニットとを具備し、前記ユニットは、前壁と、前記収容部から外部へ露出されるとともに、吸気口および排気口とが備えられた前壁とを有するハウジングと、前記ハウジング内部に設けられ、前記吸気口より外部の空気を吸気し、前記排気口より前記吸込んだ空気を吐き出すファンユニットと、前記ハウジング内部に設けられ、前記ファンユニットの近傍に設けられるとともに、マイナスイオンを発生するマイナスイオン発生装置と、を具備することを特徴とする。
【発明の効果】
【０００７】
本発明によれば、マイナスイオン発生機能を容易に電子機器に組み込むことができる。
【発明を実施するための最良の形態】
【０００８】
以下本発明に係る実施の形態を、ノート形コンピュータに適用して、図面を参照して説明する。図１は、電子機器の斜視図である。
【０００９】
図１に示すようにノートＰＣ１は本体２を有している。本体２にはヒンジ部３を介して表示部４が回動可能に接続されている。本体２の上面にはキーボード５が設けられている。本体２の側面６には複数のユニットの内の１つのユニットが選択的に収容可能な収容部７が設けられている。収容部７には光ディスクドライブユニット（以下ＯＤＤユニット）１０、マイナスイオン発生ユニット１１、ＦＤＤ、セカンドＨＤＤ、セカンドバッテリの内の１つが選択的に収容可能であり、図１には代表して、ＯＤＤ１０とマイナスイオン発生ユニット１１とが図示されている。
【００１０】
図２は、マイナスイオン発生ユニットの上壁を除いた状態の斜視図である。図２においてはマイナスイオン発生ユニット１１の上壁は図示していない。図２に示すようにマイナスイオン発生ユニット１１は収容部７に収容可能な形状を有しており、他のユニット、例えばＯＤＤユニット１０と略同じ外形寸法を有している。マイナスイオン発生ユニット１１は底壁１２を有している。底壁１２の周りには周壁１３が設けられている。周壁１３の後壁１３ａには収容部７に装着されたとき収容部内のコネクタ(図示せず)に電気的に接続されるコネクタ１５が設けられている。
【００１１】
ユニット１１の前部には収容部７の開口と略同じ形状の前壁１６が設けられている。この前壁１６から後壁１３ａ方向に隔壁１４が設けられている。隔壁１４は周壁１３と同じ高さに形成されており、底壁１２と図示しない上壁との間に設けられている。隔壁１４は一端１４ａを有している。一端１４ａと後壁１３ａとの間には連結路１４ｂが形成される状態となる。マイナスイオン発生ユニット１１は、底壁１２、上壁（図示せず）、周壁１３、前壁１６によりハウジングを形成している。
【００１２】
前壁１６には左右に並んで吸気口１９及び排気口２０が設けられている。ユニット１１外部の空気は吸気口１９を介してユニット１１内部へ吸気される。また、ユニット１１内部の空気は排気口２０を介してユニット１１外部へ排気される。隔壁１４と周壁１３との間には吸気路１７および排気路１８が形成される。
【００１３】
排気路１８にはファンユニット２１が設けられる。ファンユニット２１は箱状のハウジング２１ａを有し、ハウジング２１ａには連結路１４ｂに対向して設けられる吸込口２２および前壁１６の排気口２０と対向する吐出口２３が設けられる。排気路１８上には、吐出口２３と排気口２０との間にマイナスイオン発生装置２４が設けられる。
【００１４】
ファンユニット２１が駆動されると吸気口１９、吸気路１７及び連結路１４ｂを介して吸込口２２より空気を吸込む。ファンユニット内に吸込まれた空気は、吐出口２３より吐き出され、排気口２０よりユニット１１外部へ排気される。
【００１５】
マイナスイオン発生装置２４が駆動されることでマイナスイオンを発生する。マイナスイオンの発生の機構は周知の技術を用いることで達成される。マイナスイオン発生装置２４により発生されたマイナスイオンはファンユニット２１より吐き出された空気により排気路１８を通過して排気口２０よりユニット１１の外部へ拡散される。また、吸気路１７と排気路１８との間には隔壁１４が設けられ、さらにファンユニット２１が排気路１８に設けられているためにマイナスイオン発生装置２４により発生したマイナスイオンがユニット１１内部への滞留を防止することが出来る。なお、ファンユニット２１は吸気路１７条に設けられても良いし、また、マイナスイオン発生装置２４も吸気路に設けられていても良い。さらに、マイナスイオン発生装置２４はファンユニット２１の吸込口２２と吸気口１９との間に位置していても良い。
【００１６】
このような構成によりマイナスイオン発生装置２４により発生されたマイナスイオンはユニット１１の外部へ効率的に拡散されることが可能となる。
【００１７】
図３は、吸気口及び排気口の概念図である。図３に示すように、吸気口１９および排気口２０には、それぞれ複数のフィン２５，２６が設けられている。フィン２５,２６はそれぞれノートＰＣ１の前後方向に可動可能である。図３には吸気口１９のフィン２５をＰＣ１の後方に向けて傾け、排気口２０のフィン２６をＰＣ１の前方すなわちユーザ方向へはいきするように傾けた状態を示している。したがって、マイナスイオン発生ユニット１１はＰＣ後方の空気を吸込み、排気口２０よりマイナスイオンをユーザ方向へ拡散させることが出来る。また、フィン２５，２６を自由に可動に出来るため、折角拡散されたマイナスイオンをユニット１１内部へ吸気しないためにフィン２５、２６を調節することが可能である。
【００１８】
本発明ではその主旨を逸脱しない範囲であれば、上記の実施形態に限定されるものではない。そして、ノート形コンピュータだけではなくデスクトップコンピュータ等の電子機器、カーナビゲーション装置、ＴＶ等に広く適用できるものである。
【図面の簡単な説明】
【００１９】
【図１】電子機器の斜視図。
【図２】マイナスイオン発生ユニットの上壁をのぞいた状態の斜視図。
【図３】吸気口及び排気口の概念図。
【符号の説明】
【００２０】
１…ノートＰＣ、２…本体、３…ヒンジ部、４…表示部、５…キーボード、７…収容部、１０…光ディスクドライブユニット、１１…マイナスイオン発生ユニット、１２…底壁、１３…壁、１３ａ…後壁、１４…隔壁、１４ａ…一端、１４ｂ…連結路、１５…コネクタ、１６…前壁、１７…吸気路、１８…排気路、１９…吸気口、２０…排気口、２１…ファンユニット、２２…吸込口、２３…吐出口、２４…マイナスイオン発生装置、２５，２６…フィン
【図１】
2005092587.tif 000003
【図２】
2005092587.tif 000004
【図３】
2005092587.tif 000005